(57)【要約】【課題】  気化熱が奪われることによる体温低下がみられたとしても、筋肉痛や肩こりに対し長時間にわたって筋肉細胞をほぐす作用を持続させる。【解決手段】  貼着面に、温感剤領域１２と冷感剤領域１１とを配する。温感剤領域と冷感剤領域とが混在すればよいので各領域の形状は問わない。温感剤領域と冷感剤領域とを混在させることにより、冷感剤領域１１が血管４１を収縮させる働きを営み、温感剤領域１２が血管４１を拡張する働きを営む。気化熱によって体温が低下しても、血管の収縮と拡張の比率は長時間持続する。つまり湿布材を貼っている間中、当該部分の血管は僅かに凹凸が形成され、血液が血管の収縮部を通り抜ける際に血管に微妙な振動を発生させ、これによって周辺細胞に物理的な振動の刺激を与える作用を営む。【選択図】    図１
2005279109.tif 000002
【特許請求の範囲】
【請求項１】
貼着面に、温感剤領域と冷感剤領域とを配したマッサージ湿布材。
【請求項２】
温感剤領域と冷感剤領域は、差し渡し寸法が１ｍｍ以上となる部分を備えることを特徴とする請求項１記載のマッサージ湿布材。
【請求項３】
帯状を呈する温感剤領域と冷感剤領域とを隣接して配することを特徴とする請求項１または請求項２記載のマッサージ湿布材。
【請求項４】
温感剤領域または冷感剤領域のいずれか一方を縦横に配して升目状とすることを特徴とする請求項３記載のマッサージ湿布材。
【請求項５】
帯状をなす温感剤領域と冷感剤領域の縁部は非直線形状であることを特徴とする請求項１ないし請求項４記載のマッサージ湿布材。
【請求項６】
温感湿布剤および冷感湿布剤のいずれか一方を主たる薬効領域として、他方の薬効領域を主たる薬効領域の中に点在させることを特徴とする請求項１ないし請求項５記載のマッサージ湿布材。
【発明の詳細な説明】
【技術分野】
【０００１】
本発明は、温感剤領域と冷感剤領域の両方を備える湿布材に関する。
【背景技術】
【０００２】
肩こりや打撲時などに使用する湿布材は、一般に、トウガラシの辛み成分であるカプサイシンを主成分とする温感剤か、またはメントールおよびサリチル酸メチルを主成分とする冷感剤が用いられる。
【０００３】
広く知られているように、温感湿布と冷感湿布は、ある程度の使い分けがなされる。肩こりのように、筋肉疲労によって血行が悪くなっている場合は血液循環を良くするために温感湿布を用いる。温感薬効のある成分、例えばカプサイシンは、染み込んだところの毛細血管を拡張する働きがあり、血行を促進するため、貼ってから９０分前後で貼着部の周辺体温は２〜３℃上昇することが知られている。
【０００４】
一方、打撲のように皮膚表面の毛細血管が損傷しているときには冷感湿布を用いる。打撲の時に冷感湿布を使用するのは、皮膚を冷却することによって細胞活動を抑制し、細胞の必要酸素量を低減させて周辺細胞の破損をくい止めるためである。
【０００５】
なお、本発明が提案する皮膚のマッサージ効果を伴う湿布剤の提案は発見できなかった。湿布剤に関する提案としては、かぶれを防止するためにカプサイシンとジンジャーを薬効成分として使用するもの（特許文献１）、薬効成分の浸透性を高めるために木酢液を用いるもの（特許文献２）などがある。
【０００６】
ところで、疲労した筋肉に対して真に有効となる湿布材は、ないというのが実状である。例えば、広く知られているように、筋肉疲労の代表例である肩こりや筋肉痛に対しては、従来の市販製品は、温感湿布も冷感湿布もともに効果がある旨が表示されている。
【０００７】
すでに述べたように、温感湿布剤であるカプサイシンは、皮膚に温かみを与え、毛細血管を広げて血行を促進するが、湿布薬が気化熱を奪う。この結果として、上昇した貼着部体温も一定時間を経過すると徐々に低下して、冷感湿布剤と同じように体温を２〜３℃下げる。一方の冷感湿布剤が体温を低下させるのは事実であるが、これは薬効成分の働きと気化熱を奪うことによる作用効果が相乗した体温低下として説明される。なお、温感湿布剤を使用したときの体温低下については、体温を均衡に保つ人体の自然の生理作用として説明される場合もある。
【０００８】
いずれにせよ、温感湿布剤には長時間の効果は認められない。しかし、数時間の間は、貼ったときに暖かいと感じて血行が促進される現象がみられる。一方、冷感湿布剤は、貼った直後から冷たいと感じてその効果は長時間継続する。気化熱が奪われることによる体温低下の状態が長く持続するからである。
【特許文献１】特開平１０−１５２４３２号公報
【特許文献２】特開平０８−３１０９６２号公報
【発明の開示】
【発明が解決しようとする課題】
【０００９】
問題は、従来の湿布材が、温感剤の薬効と冷感剤の薬効を別種のものとした上で、温感剤は温感剤としての効き目、冷感剤は冷感剤としての効き目を追求するあまり、気化熱が奪われることによる体温低下の現象を十分に考慮しなかった点にある。
【００１０】
冷感湿布はもとよりであるが、温感剤を用いた湿布材も、温熱効果によって血管を拡張する働きに較べて、気化熱の奪取による体温低下がみられる以上、温感剤も冷感剤も、どちらも結果的には体温を下げる作用を営み、血行促進や筋肉痛に対してはどちらも同じような効果、つまり湿布材を貼らない場合と大差がないと考えることも出来るからである。この場合、湿布材は爽快感や皮膚の知覚麻痺による痛みの緩和の効果があるにすぎないという説明ができる。ただし、温感薬効の成分は、現実に毛細血管を広げる機能があることは各種の実験で確認されている。
【００１１】
かかる事情に鑑み、本発明は、気化熱が奪われることによる体温低下がみられたとしても、筋肉痛や肩こりに対し長時間にわたって筋肉細胞をほぐす作用を持続させることを目的とする。
【課題を解決するための手段】
【００１２】
前記目的を達成するため、本発明に係るマッサージ湿布材は、貼着面に、温感剤領域と冷感剤領域とを配する（請求項１）。温感剤領域と冷感剤領域とが混在すればよいので、各領域の形状や配設パターンは問わない。
【００１３】
温感剤領域と冷感剤領域とを混在させることにより、冷感剤領域が血管を収縮させる働きを営み、温感剤領域が血管を拡張する働きを営む。気化熱によって体温が低下しても、血管の収縮と拡張の比率は長時間持続する。つまり湿布材を貼っている間中、当該部分の血管は僅かに凹凸が形成され、血液が血管の収縮部を通り抜ける際に血管に微妙な振動を発生させ、これによって周辺細胞に物理的な振動の刺激を与える作用を営む。二つの薬効成分の領域面積は、通常は９平方ミリメートル以上とすることが好ましいが、４平方ミリメートルないしそれ以下の小さな面積の領域部分が混在しても構わない。
【００１４】
また温感湿布を主とする湿布材でも、ある程度の冷感剤領域の面積を必然とするため、単位面積当たりの温感剤の薬効成分の使用量が確実に低減し、これによって皮膚のかぶれを生じにくくなる効果が生まれる。
【００１５】
請求項２は、温感剤領域または冷感剤領域が、差し渡し寸法で１ｍｍ以上となる部分を備えるものである。温感剤領域と冷感剤領域は、それぞれ血管の拡張作用と収縮作用を営むものであるから、少なくとも毛細血管の幅よりも大きな差し渡し径を必要とする。しかし血管は部位によっても密集度や太さ異なるため一概には規定しにくい。毛細血管は２〜６ミクロンであり、細い血管は０．０１ｍｍ程度、太い血管は３ｍｍ程度である。
【００１６】
本発明に係る湿布は毛細血管だけを刺激するものでも良い。しかし、汎用性をもたせるためには太い血管に対する働きかけも必要であるし、貼るときの方向と血管の方向との関係も大切である。このため薬効成分（温感剤領域と冷感剤領域）の最小の幅寸法として１ｍｍを想定し、少なくとも１ｍｍ以上の幅寸法をもたせて汎用性と使いやすさの課題を解決する。
【００１７】
請求項３は、帯状を呈する温感剤領域と冷感剤領域とを隣接して配するものである。温感剤領域と冷感剤領域とをストライプ状に配することにより、血管に対して直交させやすい湿布材を提供するためである。血管は、若干の方向性の違いはあるが、人体の各所においてほぼ同じ方向に向いている。本発明に係る湿布材は、血管の収縮と拡張による振動効果を得るものであるから、最も簡単には血管に対してなるべく直交するようにストライプ状の温感剤領域と冷感剤領域とを位置させることが望ましい。
【００１８】
請求項４は、温感剤領域または冷感剤領域のいずれか一方を縦横に配して升目状とするものである。升目状とすることにより、血管の向きがわかりにくい部位に湿布材を貼るときにも、血管の収縮と拡張作用を生じさせる確率を高めることが出来る。使い慣れてくれば血管の方向ないし湿布材を貼るべき向きは徐々に理解できるとと想われる。
【００１９】
請求項５は、帯状をなす温感剤領域と冷感剤領域の縁部が非直線形状とするものである。ストライプ状に配した薬効成分が血管に直交して湿布材を貼着できれば効果を得るので、縁部は波形（凹凸形状）に整形しても構わない。
【００２０】
請求項６は、温感湿布剤および冷感湿布剤のいずれか一方を主たる薬効領域として、他方の薬効領域を主たる薬効領域の中に点在させるものである。これは温感剤領域と冷感剤領域を升目状に配した請求項４と同じ原理に基づくが、点在させる方の薬効領域の配設パターンを升目状ないし格子状よりも自由に設計出来る利点がある。点在させる領域の形状、大きさ、配設位置を適宜設定できるからである。形状や大きさは統一的である必要はない。配設位置も規則的なパターンではなくランダムであって構わない。
【発明の効果】
【００２１】
本発明に係るマッサージ湿布材によれば、血管を収縮させる冷感剤領域の働きと、血管を拡張する温感剤領域の働き、および血流によって、血管に僅かな振動が生まれ、これが周辺細胞に伝播することで筋肉細胞等を刺激し、気化熱による体温低下とは無関係に細胞組織を物理的に刺激し続けることが可能となる。
【発明を実施するための最良の形態】
【００２２】
図１は、本発明に係るマッサージ湿布材の一実施形態を例示するものである。このマッサージ湿布材１０は、冷感剤領域１１と温感剤領域１２を帯状に成形して、長手方向に隣接させて交互に配設し、全体として冷感剤領域１１と温感剤領域１２がストライプ（縞模様）を呈するように構成したものである。好ましくは、これを血管４１に対して交差するよう貼着する。必ずしも直交させる必要はない。交差していれば血管４１の収縮と拡張による所期効果を得るからである。
【００２３】
冷感剤領域１１と温感剤領域１２は、表面（貼着面）に薬効成分が露出していればよい。従って、その断面形状はとくに限定されない。例えば、図２に示すように、基台シート１４の上に所定の肉厚で冷感剤領域１１の薬効成分と温感剤領域１２の薬効成分とを隣接させつつ単純に配設する等である。この場合は、冷感剤領域１１の薬効成分と温感剤領域１２の薬効成分は、断面形状で例えば略方形となってあらわれる。冷感剤領域１１の薬効成分と温感剤領域１２の薬効成分とが、反応によて変性する可能性がある場合は、図３に示すように、冷感剤領域１１と温感剤領域１２の間に仕切材１５を設け、化学的な反応や変性による薬効成分の劣化を防止することが望ましい。仕切材１５としては例えば肉薄の樹脂フィルムを利用することが出来る。
【００２４】
このように、帯状の冷感剤領域１１と温感剤領域１２を交互に配して、血管４１と交差するように湿布材（１０）を貼ったときには、図４に示すように、血管４１は、冷感剤領域１１が位置する近傍箇所Ｓ１が収縮して凹形状となり、温感剤領域１２が位置する近傍箇所Ｓ２が拡張して凸形状となる。符号Ｆで示す直線の波線は、通常の状態、つまり収縮も拡張もしていない状態における血管４１の断面の模式的なラインを示すものである。符号Ｑ１は、血管４１のまわりの表装細胞、Ｑ２は血管４１のまわりの深層細胞（例えば筋肉細胞）である。
【００２５】
このように、隣接させつつ交互に配した帯状の冷感剤領域１１と温感剤領域１２によって、湿布材（１０）を貼着した側の血管４１に凹凸を形成すれば、心臓から送出される動脈流においても、また心臓に帰還する静脈流においても、血液が凹凸部に衝突することによって血管４１に継続的に振動を発生させる。そして血管４１に発生する振動は、表装細胞Ｑ１および深層細胞Ｑ２に対して継続的な微小振動を与え続ける。この現象は、気化熱が奪われることによる体温低下とは無関係に持続する。
【００２６】
この結果、マッサージ湿布材１０を貼着した部分の細胞組織は継続的な振動を得て、強制外力によるマッサージを受けるまでもなく、筋肉細胞をもみほぐすマッサージ効果を得る。例えば、筋肉痛や肩こりに長時間の湿布効果を与えるわけである。また、従来、矯正が難しいとされた外反母趾や内反小指のような筋肉疲労に起因する骨の位置ずれの問題に対しても、一般のマッサージ治療と相俟って、マッサージ湿布による長期的、継続的な観点からの矯正支援を行うことが出来る。湿布材（１０）を貼っているだけで外反母趾や内反小指の骨のまわりの筋肉組織に対して振動を与え続けることが出来るからである。
【００２７】
この実施形態ではマッサージ湿布材１０を長方形に示してある。これは一般的な湿布材の形状が長方形になっているからであるが、本発明に係る湿布材（１０）が長方形に限定されるものではない。湿布材（１０）の形状は円形その他の任意形状であって構わない。湿布材（１０）の大きさはまちまちであるが、長方形の短辺を例えば１０ｃｍとした場合、図１に示す帯状の薬効領域（１１、１２）の幅は、例えば２ｃｍとすることが出来る。
【００２８】
もちろん、薬効領域（１１、１２）の幅は使用目的等に応じて調整して構わない。例えば、外反母趾や内反小指の矯正に用いる湿布材（１０）では、湿布材（１０）の大きさをいわゆる傷薬テープのように短辺で１〜２ｃｍとすることが望ましい。そのような場合は、二つの薬効領域（１１、１２）の幅も、それに見合った数値、例えば２〜５ｍｍとすることが望ましい。二つの薬効領域（１１、１２）の幅は必ずしも同一である必要はない。
【００２９】
本発明に係るマッサージ湿布材（１０）は、例えば図５に示すように、冷感剤領域１１と温感剤領域１２のいずれか一方を升目状（格子状）に配しても良いし、図６に示すように、冷感剤領域１１と温感剤領域１２のいずれか一方を主たる薬効成分領域として、他方の薬効成分領域を点在させても良い。点在させる薬効成分領域は、規則的なパターンを描く模様でなくても良いし、形状、大きさ、肉厚が不統一であっても構わない。血管４１に対して凹凸を形成する上で、配設パターンが規則的であることや、点在領域の形状や大きさを統一しても、それらがランダムである場合に較べて効果上の大きな差異を生じないからである。但し、製造コストを低減するためには、点在領域の配設パターン、形状、大きさ、肉厚等をある程度規格化した方が有利である。
【００３０】
なお、請求項２では、成分領域（１１、１２）の差し渡し径を１ｍｍ以上とする旨記載している。これは、血管４１に対して真に有効に働きうる成分領域（１１、１２）の領域幅を例示するものである。１ｍｍ以下の薬効成分量域を作り出すことは簡単である。しかし１ｍｍ以下となる部分を作りだし、１ｍｍ以下の部分を含むので権利を侵害しない旨の主張をすることは公正ではない。１ｍｍ以下の部分は、血管４１に作用して有効なマッサージ効果を生ずることは難しく、当該部分は有効な薬効成分が形式上存在するだけで、実際には存在しないに等しいいわば無意味な空白領域にすぎないからである。かかる理由により、請求項１では最小部分の寸法を限定しない。
【００３１】
本発明に係るマッサージ湿布材（１０）は、冷感剤領域１１と温感剤領域１２のふたつを、ある程度の面積をもった領域として表面（貼着面）に備えるものである。薬効成分の粉末を点在させるように、同一の薬効成分がある程度の大きさ（面積）をもたない場合は、血管（４１）に凹凸を形成できない。本発明で云う領域は、最低でも例えば４立方ミリメートル（例えば２×２ｃｍ）を要すると考える。ふたつの薬効成分（１１、１２）と血管（４１）を確実に交差させて血管（４１）に凹凸を生じさせるためには、例えば長方形の場合、短辺が２ｍｍ、長辺が３０ｍｍ以上としておくことが望ましい。但し、すでに述べたように、最小部分の寸法はどのようにでも設定できるので、領域を構成する部分の最小の幅や面積を具体的数値として明示することは困難である。
【００３２】
冷感剤領域１１と温感剤領域１２には、できるだけ自然の生薬を使用することが望ましい。冷感剤領域１１に用いる生薬としては、例えば、キハダ（黄柏）、クチナシ（山梔子）、スイカズラ（忍冬）、ヤマモモ（楊梅皮）、そば粉、かにの甲羅、ソラカンバ、ニワトコ（接骨木）等がある。温感剤領域１２には、例えばサンショウ（山椒）、ヨモギ（艾葉）、杜仲、ビワ（枇杷葉）、エビ（蝦の甲皮）、カモミール、ローズマリー、ワイン等の生薬類を使用することが出来る。なお、皮膚への浸透を促進するインドメタシンやフェルフェンなどの消炎鎮痛剤を配合して用いても良いことは勿論である。
【００３３】
血管の一部分を拡張または収縮させ、血管に凹凸を生じさせるためには、必ずしも冷感剤領域１１と温感剤領域１２の両方を使用しなければならないというわけではない。冷感剤または温感剤の一方を用いて構成することもできる。冷感剤または温感剤のいずれか一方を、貼着面に点在させればよいからである。点在のさせ方は、例えば、帯状の領域湿布剤を離隔させつつ配すること、あるいは円や多角形を呈する湿布剤領域を点在させれば良い。しかし、かかる方法によれば、温感剤と冷感剤が同時に存在する本発明の湿布材に較べて、血管の凹凸量が少なく、貼着時の心地よさが減少する。
【図面の簡単な説明】
【００３４】
【図１】本発明に係るマッサージ湿布材を血管とともに例示する図である。
【図２】図１のＡ−Ａ線断面の実施形態を示す図である。
【図３】図１のＡ−Ａ線断面の他の実施形態を示す図である。
【図４】効果を例示する図１のＢ−Ｂ線断面相当図である。
【図５】本発明に係る湿布材の薬効領域の配設パターンを例示する第二の図である。
【図６】本発明に係る湿布材の薬効領域の配設パターンを例示する第三の図である。
【符号の説明】
【００３５】
１０  マッサージ湿布材
１１  冷感剤領域
１２  温感剤領域
１４  基台シート
１５  仕切材
４１  血管
【図１】
2005279109.tif 000003
【図２】
2005279109.tif 000004
【図３】
2005279109.tif 000005
【図４】
2005279109.tif 000006
【図５】
2005279109.tif 000007
【図６】
2005279109.tif 000008